(57)【要約】【課題】バックルのような止具を要さずして吸水性シートを確実に押さえ止めできて、製作コストを軽減するとともに、凹凸をなくし汚れを付着し難くして掃除を容易にする。【解決手段】相対する内壁面１２であって底面から少し離れた部位に突条１３が形成された矩形浅皿状のトレイ本体１０と、該トレイ本体の底面１１と略々同じ大きさの矩形状に形成された弾性枠体３０とからなり、該弾性枠体の相対する辺の略中間部を夫々僅かながら外方膨出形状に付形し、該トレイ本体の底面に吸水性シート２０を敷き、その上に該弾性枠体を乗せて該弾性枠体の外方膨出部３２を前記突条の下側に係合させることにより、該吸水性シートの周縁部が該弾性枠体により押さえ止めされるようにした。トレイ本体の相対する内壁面１２は上方に向かい拡がる傾斜面状に形成する。【選択図】図１
2006050916.tif 000002
【特許請求の範囲】
【請求項１】
相対する内壁面であって底面から少し離れた部位に突条が形成された矩形浅皿状のトレイ本体と、該トレイ本体の底面と略々同じ大きさの矩形状に形成された弾性枠体とからなり、該弾性枠体の相対する辺の略中間部を夫々僅かながら外方膨出形状に付形し、該トレイ本体の底面に吸水性シートを敷き、その上に該弾性枠体を乗せて該弾性枠体の外方膨出部を前記突条の下側に係合させることにより、該吸水性シートの周縁部が該弾性枠体により押さえ止めされるようにしたことを特徴とするペット動物用トレイ。
【請求項２】
トレイ本体の相対する内壁面は上方に向かい拡がる傾斜面状に形成されたものである請求項１に記載のペット動物用トレイ。
【発明の詳細な説明】
【技術分野】
【０００１】
本発明は、犬，猫、その他のペット動物を飼うのに使用されるペット動物用トレイに関するものである。
【背景技術】
【０００２】
例えばペットショップ、その他に設けられる動物用ケージの底面に、新聞紙又はペット専用の吸水性シート等を敷き、糞尿や餌によって底面が汚れないようにし、汚れてもこれらを取り替えることで底面が簡単に清潔に維持されるようにしている。
ところで、これらの吸水性シートは、ペット動物が動き回ることによって簡単にずれてしまうために、下記特許文献１，２に示されたペット用トレイでは、吸水性シートを押さえる枠体を備え、該枠体をトレイ本体に係合するためのバックルをトレイ本体又は枠体に形成してなるものであった。
【特許文献１】特開平８−９８１９号公報
【特許文献２】特開平７−３２７５４１号公報
【発明の開示】
【発明が解決しようとする課題】
【０００３】
しかし従来の上記ペット用トレイでは、上記バックルのために表面が凹凸状となり隙間もできるので糞尿等が付着し易く掃除もし難いという問題があった。
本発明はこのような従来のペット動物用トレイの問題点を解消し、掃除が簡単で吸水性シートを押さえ止めも確実にできるペット動物用トレイを提供しようとするものである。
【課題を解決するための手段】
【０００４】
そのために請求項１に記載のペット動物用トレイは、相対する内壁面であって底面から少し離れた部位に突条が形成された矩形浅皿状のトレイ本体と、該トレイ本体の底面と略々同じ大きさの矩形状に形成された弾性枠体とからなり、該弾性枠体の相対する辺の略中間部を夫々僅かながら外方膨出形状に付形し、該トレイ本体の底面に吸水性シートを敷き、その上に該弾性枠体を乗せて該弾性枠体の前記外方膨出部を前記突条の下側に係合させることにより、該吸水性シートの周縁部が該弾性枠体により押さえ止めされるようにしたことを特徴とする。
弾性枠体の弾性により吸水性シートを確実に押さえ止めできるとともに、簡単な構成であることから製作が容易でかつ凹凸がなく汚れが付着し難くなるので掃除も容易となる。
【０００５】
また、請求項２に記載の発明は上記ペット動物用トレイにおいて、トレイ本体の相対する内壁面は上方に向かい拡がる傾斜面状に形成されたものであることを特徴とする。
このため弾性枠体を下方に押さえるだけで吸水性シートを押さえ止めできる。
【発明の効果】
【０００６】
バックルのような止具を要さずして吸水性シートを確実に押さえ止めでき、製作コストが軽減されるとともに、凹凸がなく汚れが付着し難くなり掃除も容易となる。
【実施例１】
【０００７】
次に本発明の実施例を図面に従い説明する。図１は本発明に係るペット動物用トレイの分解斜視図で、同図中、１０は板状のプラスチックを成形型内にセットし型面に真空吸引することにより矩形浅皿状に成形されたトレイ本体、２０は該トレイ本体の底面１１に敷かれる吸水性シート、３０はステンレス等の金属製丸棒を折曲することにより該トレイ本体の底面１１と略々同じ大きさの矩形状に形成した弾性枠体である。トレイ本体１０の相対する内壁面１２は、図２に示したように、上方に向かい拡がる傾斜面状に形成されているとともに、該内壁面１２の底面１１から少し離れた部位に該内壁面を内側に屈曲した形態にて突条１３が形成されている。一方、弾性枠体３０の相対する短辺３１の略中間部を図３の平面図に示されるように夫々僅かながら外方膨出形状に付形し外方膨出部３２を形成している。なお、３３は一方の長辺３４の中間部を上方に逆Ｖ字状に折り曲ることにより形成された摘子部である。
【０００８】
このため、底面１１上に吸水性シート２０を配置し、弾性枠体３０により該吸水性シート２０を押さえるに際しては、図４に示したように該弾性枠体３０を相対する内壁面１２上に置いて該弾性枠体を手で押し下げることにより、該弾性枠体３０の外方膨出部３２が該内壁面１２の傾斜に沿って内側に弾性的に収縮されて突条１３を乗り越え、図５，図６に示したように、突条の下側に該外方膨出部３２が係合する。これによりワンタッチで該吸水性シート２０の周縁部が該弾性枠体３０により押さえ止められる。このためペット動物が動き回っても該吸水性シート２０が移動しない。また、吸水性シート２０が汚れた場合は摘子部３３を引き上げれば、外方膨出部３２は弾性により内側に収縮して簡単に外すことができ、新たな吸水性シートに交換できる。
【０００９】
また、本発明のペット動物用トレイは、トレイ本体１０の内壁面に突条１３を形成し、弾性枠体３０には外方膨出部３２を形成しただけの簡単な構成であるので製作が容易であり、バックルのような止具を要さずして吸水性シートを確実に押さえ止めできるのでコストが軽減され、かつ凹凸がなく汚れが付着し難くなるので掃除も容易となるなど顕著な効果がある。
【００１０】
なお、この実施例では内壁面１２に一連に突条１３を形成したが、内壁面１２に部分的に突出する突起を形成するだけでも弾性枠体３０を係止することができる。
【図面の簡単な説明】
【００１１】
【図１】本発明の実施例であるペット動物用トレイの分解斜視図。
【図２】図１のトレイ本体のＡ−Ａ線断面図。
【図３】図１の弾性枠体の平面図。
【図４】図１のトレイ本体上に弾性枠体を載置したときの要部の縦断面図。
【図５】本発明の実施例であるペット動物用トレイの斜視図。
【図６】図５のＢ−Ｂ線断面図。
【符号の説明】
【００１２】
１０    トレイ本体
１１    底面
１２    内壁面
１３    突条
２０    吸水性シート
３０    弾性枠体
３２    外方膨出部
【図１】
2006050916.tif 000003
【図２】
2006050916.tif 000004
【図３】
2006050916.tif 000005
【図４】
2006050916.tif 000006
【図５】
2006050916.tif 000007
【図６】
2006050916.tif 000008